(57)【特許請求の範囲】
【請求項１】
係合部及び底部に複数の位置決め孔を有する荷を保管する荷保管設備であって、
上記荷を支持する棚部材と、上記棚部材に対して荷を出し入れする出し入れ手段とが設けられ、
上記棚部材の上側に、荷を載置可能な荷載置部が設けられ、
上記棚部材の下側に、荷の係合部と係合して荷を棚部材に保持する被係合部が左右一対設けられ、
荷の出し入れ方向において、上記係合部と両被係合部とが係脱自在に構成されており、
出し入れ手段と荷載置部とにそれぞれ、上記位置決め孔に対して挿脱自在な複数の位置決め突部が設けられ、
上記位置決め孔は、出し入れ手段の位置決め突部に個々に対応する位置決め孔と、荷載置部の位置決め突部に個々に対応する位置決め孔とに別れていることを特徴とする荷保管設備。
【請求項２】
棚部材は、棚フレームに取付けられており、平板状の棚板と、棚板の後部に設けられた上部取付板と、棚板の両側端から垂下された左右一対の側板と、両側板の下端内向きに水平状に設けられた被係合部と、両側板の上端外向きに水平状に設けられた左右一対の上部横板と、両被係合部の後端に設けられた下部取付板とで構成され、
上記上部取付板と下部取付板とがそれぞれ棚フレームに連結され、
上記両側板の前部は棚板よりも前方へ突出しており、
突出した側板の上端に上記上部横板が設けられ、
上記棚板の上面と両上部横板の上面とが、容器を載置可能な荷載置部として形成されていることを特徴とする請求項１記載の荷保管設備。
【請求項３】
棚部材は上下複数かつ左右複数に配設され、
出し入れ手段は、上下かつ左右方向へ移動自在な可動体と、この可動体に設けられかつ上記棚部材に対して出退して荷をすくい取るフォークとで構成され、
上記フォークに位置決め突部が設けられていることを特徴とする請求項１又は請求項２記載の荷保管設備。
【請求項４】
フォークは左右一対の荷支持部を有し、
上記両荷支持部間に、上記棚部材が突入退出可能となる欠如部が形成されており、
上記フォークの幅は棚部材の幅よりも広く形成され、
上記欠如部の幅は棚部材の幅よりも広く且つフォークの幅よりも狭く形成され、
上記フォークの両荷支持部は荷載置部の左右外側方かつ両被係合部の左右外側方において上下移動することを特徴とする請求項３記載の荷保管設備。
【発明の詳細な説明】
【０００１】
【発明の属する技術分野】
本発明は、例えば半導体（ウエハ）を入れた容器を荷として取り扱う荷保管設備に関する。
【０００２】
【従来の技術】
従来、この種の荷保管設備としては、例えば、荷を複数保管する棚装置と、棚装置に対して上記荷を出し入れする出し入れ手段とで構成されるものがある。
【０００３】
このうち、上記出し入れ手段としては、例えば特開平５−２９４４１０号公報に示されるように、棚の前面に沿って走行自在な機体と、この機体から立設されたポストに支持案内される昇降体と、この昇降体に設けられた出し入れ具とで構成されたものがある。
【０００４】
上記出し入れ具は、昇降体の回転テーブルに取り付けられた中折れ腕装置と、中折れ腕装置の遊端に連結された荷支持部（フォーク）とで構成されている。上記回転テーブルの回転により、荷支持部は、中折れ腕装置を介して、棚に対し出退自在となるように構成されている。
【０００５】
また、取り扱われる荷としては、例えば、図１１に示すように、半導体（ウエハ）を入れた容器１０１が挙げられる。上記容器１０１は、半導体を収納する収納部を備えた容器本体部１０２と、容器本体部１０２の上端に形成された幅の狭い狭窄部１０３と、狭窄部１０３の上端から拡大した鍔部１０４とで構成されている。また、上記狭窄部１０３の外側方でかつ容器本体部１０２と鍔部１０４との間には係合部１０５が形成されており、この係合部１０５は、一般に、容器１０１の搬送過程においてロボット等の移載機器が容器１０１を掴む場合等に利用されるものである。
【０００６】
さらに、上記棚装置としては、例えば図１１〜図１３に示すように、上下複数かつ左右複数に配設された棚部材１０７で構成されたものがある。各棚部材１０７の上側には、容器１０１を載置して支持する荷載置部１０８が形成されている。また、棚部材１０７には、上記出し入れ具の荷支持部１０９（フォーク）が前方から突入退出可能な欠如部１１０が形成されている。
【０００７】
これによると、容器１０１は、出し入れ手段によって、棚装置１１１に入出庫される。例えば、容器１０１を入庫する場合、図１１の（ａ）に示すように、容器１０１を出し入れ具の荷支持部１０９で支持した状態で、荷支持部１０９を昇降体の回転テーブル１１２上から目的の棚部材１０７の上方へ突出させる（図１３の仮想線参照）。その後、出し入れ手段の昇降体を僅かに下降させることより、図１１の（ｂ）に示すように、荷支持部１０９が棚部材１０７の上方から欠如部１１０を通って下方へ下降し、容器１０１が荷支持部１０９から目的の棚部材１０７の荷載置部１０８に載置される。これにより、容器１０１が目的の棚部材１０７上に保管される。その後、図１３の実線で示すように、空になった荷支持部１０９を目的の棚部材１０７の下方から昇降体の回転テーブル１１２上へ退入させる。
【０００８】
また、容器１０１を棚部材１０７から出庫する場合は、上記した入庫の逆動作を行えばよい。
【０００９】
【発明が解決しようとする課題】
しかしながら上記の従来形式では、図１２に示すように、１台の棚部材１０７に対して１個の容器１０１を載置しているため、棚装置１１１に保管される容器１０１と同数の棚部材１０７が必要となり、棚装置１１１に多数の容器１０１を保管する場合、多数の棚部材１０７を設けなければならず、コストが高くなるといった問題があった。
【００１０】
また、棚装置１１１に上下３段に容器１０１を保管する場合、上位ａの棚部材１０７と下位ｂの棚部材１０７との間に中間位ｃの棚部材１０７を設ける必要があるため、上位ａの棚部材１０７と下位ｂの棚部材１０７との上下間隔ｄが大きくなり、これにより、棚装置１１１の高さが大型化するといった問題が生じた。
【００１１】
さらに、図１３に示すように、出し入れ手段の荷支持部１０９の幅Ｗ１は棚部材１０７の幅Ｗ２よりも狭く形成されているため、上記荷支持部１０９で容器１０１を支持した状態で、出し入れ手段の昇降体を昇降させたり機体を走行させた場合、上記荷支持部１０９（フォーク）上の容器１０１（荷）の安定性が低下するといった問題があった。
【００１２】
本発明は、棚部材の数を減らすことができ、また、複数の棚部材で構成される棚装置の高さを低くすることができ、さらに、フォークで支持された荷の安定性が向上する荷保管設備を提供することを目的とする。
【００１３】
【課題を解決するための手段】
上記目的を達成するために本第１発明では、係合部及び底部に複数の位置決め孔を有する荷を保管する荷保管設備であって、
上記荷を支持する棚部材と、上記棚部材に対して荷を出し入れする出し入れ手段とが設けられ、
上記棚部材の上側に、荷を載置可能な荷載置部が設けられ、
上記棚部材の下側に、荷の係合部と係合して荷を棚部材に保持する被係合部が左右一対設けられ、
荷の出し入れ方向において、上記係合部と両被係合部とが係脱自在に構成されており、
出し入れ手段と荷載置部とにそれぞれ、上記位置決め孔に対して挿脱自在な複数の位置決め突部が設けられ、
上記位置決め孔は、出し入れ手段の位置決め突部に個々に対応する位置決め孔と、荷載置部の位置決め突部に個々に対応する位置決め孔とに別れているものである。
【００１４】
これによると、荷を目的の棚部材に入庫する場合、出し入れ手段によって荷を目的の棚部材の荷載置部に載置する。また、別の荷の係合部を出し入れ手段によって目的の棚部材の被係合部に係合させる。これにより、上記２個の荷が１台の棚部材の上側と下側とに振り分けられて保持されるため、従来に比べて棚部材の数を減らすことができる。
また、出し入れ手段の位置決め突部が荷の位置決め孔に挿入されることによって、荷は、出し入れ手段に対して位置決めされ、出し入れ手段の移動によっても位置ずれしない。さらに、棚部材の位置決め突部が荷の位置決め孔に挿入されることによって、荷は、荷載置部に位置決めされ、位置ずれすることはない。
【００１５】
本第２発明では、棚部材は、棚フレームに取付けられており、平板状の棚板と、棚板の後部に設けられた上部取付板と、棚板の両側端から垂下された左右一対の側板と、両側板の下端内向きに水平状に設けられた被係合部と、両側板の上端外向きに水平状に設けられた左右一対の上部横板と、両被係合部の後端に設けられた下部取付板とで構成され、
上記上部取付板と下部取付板とがそれぞれ棚フレームに連結され、
上記両側板の前部は棚板よりも前方へ突出しており、
突出した側板の上端に上記上部横板が設けられ、
上記棚板の上面と両上部横板の上面とが、容器を載置可能な荷載置部として形成されているものである。
【００１７】
本第３発明では、棚部材は上下複数かつ左右複数に配設され、
出し入れ手段は、上下かつ左右方向へ移動自在な可動体と、この可動体に設けられかつ上記棚部材に対して出退して荷をすくい取るフォークとで構成され、
上記フォークに位置決め突部が設けられているものである。
【００１８】
これによると、目的の棚部材に対して荷を入出庫する場合、出し入れ手段の可動体を上下方向および左右方向へ移動させて、フォークを目的の棚部材に対向させる。その後、フォークを目的の棚部材に向けて出退させることにより、荷を目的の棚部材の上側または下側に入庫したり、或いは、目的の棚部材の上側または下側から荷を出庫することができる。このように荷をフォークで支持して出し入れする場合、フォークの位置決め突部が荷の位置決め孔に挿入されるため、上記荷がフォークに位置決めされ、フォーク移動時にフォーク上の荷が位置ずれするのを防止することができる。
【００１９】
また、上下３段に荷を保管する場合、上位の棚部材と下位の棚部材との間に従来のような中間位の棚部材を設ける必要がないため、中間位の棚部材を無くした分だけ、上位の棚部材と下位の棚部材との上下間隔を縮小することができる。したがって、複数の棚部材で構成される棚装置の高さを低くすることができる。
【００２０】
本第４発明では、フォークは左右一対の荷支持部を有し、
上記両荷支持部間に、上記棚部材が突入退出可能となる欠如部が形成されており、
上記フォークの幅は棚部材の幅よりも広く形成され、
上記欠如部の幅は棚部材の幅よりも広く且つフォークの幅よりも狭く形成され、
上記フォークの両荷支持部は荷載置部の左右外側方かつ両被係合部の左右外側方において上下移動するものである。
【００２１】
これによると、出し入れ手段のフォークを用いて、棚部材に対し荷を出し入れする場合、棚部材がフォークの欠如部に突入することにより、フォークが作動中に棚部材に干渉することはない。また、フォークの幅は棚部材の幅よりも広く形成されているため、フォークで荷を支持した際の荷の安定性が向上する。
【００２２】
【発明の実施の形態】
以下、本発明における実施の形態を図１〜図１０に基づいて説明する。
図７に示すように、１は多数の容器２（荷の一例）を保管する荷保管設備であり、この荷保管設備は、複数の容器２（前面開き一体化ポッドあるいはフープ等と呼ばれる）を保管する前後一対の棚装置３と、両棚装置３に対して容器２を出し入れする出し入れ手段４とで構成されている。
【００２３】
上記容器２は、図４に示すように、複数の半導体（ウエハ）を収納する容器本体部５と、容器本体部５の上端に形成された幅の狭い狭窄部６と、狭窄部６の上端から拡大した鍔部７とで構成されている。上記狭窄部６の外側方でかつ容器本体部５と鍔部７との間には係合部８が形成されており、この係合部８は、一般に、容器２の搬送過程においてロボット等の移載機器が容器２を掴む場合等に利用されるものである。また、図３に示すように、容器本体部５の底面には、複数（図３では３個）の内側位置決め孔９と、その外側に位置する複数（図３では２個）の外側位置決め孔１０とが形成されている。
【００２４】
図７に示すように、上記棚装置３は、複数の支柱や横材１９等からなる棚フレーム１１と、棚フレーム１１内に据え付けられた棚部材１２とを備えている。図６に示すように、上記棚部材１２は、容器２を支持するものであり、上下かつ左右にそれそれ所定間隔をおいて複数配設されている。
【００２５】
図１，図２に示すように、上記棚部材１２は、水平平板状の棚板１３と、棚板１３の後部に設けられた上部取付板１４と、棚板１３の両側端から垂下された左右一対の側板１５と、両側板１５の下端内向きに水平状に設けられた左右一対の被係合板１６（被係合部の一例）と、両側板１５の上端外向きに水平状に設けられた左右一対の上部横板１７と、両被係合板１６の後端に設けられた下部取付板１８とで構成されている。
【００２６】
上記上部取付板１４と下部取付板１８とがそれぞれボルト等によって棚フレーム１１の横材１９に連結され、これにより、各棚部材１２が棚フレーム１１に取付け固定される。また、上記両側板１５のほぼ前半分は棚板１３よりも前方へ突出しており、この突出した側板１５の上端に上記上部横板１７が設けられている。上記棚板１３の上面と両上部横板１７の上面とは同じ高さに設定されており、これら棚板１３の上面と両上部横板１７の上面とが、容器２を載置可能な荷載置部２０として形成されている。
【００２７】
上記両被係合板１６は容器２の係合部８に係合して容器２を棚部材１２に吊り下げて保持するものであり、上記被係合板１６と係合部８とは前後方向Ｆ（すなわち容器２の出し入れ方向）において係脱自在に構成されている。また、上記荷載置部２０には、容器２の内側位置決め孔９（図３参照）に対して挿脱自在な３本の内側位置決めピン２１（位置決め突部の一例）が設けられている。このうち、１本は棚板１３の前部上面に設けられ、残り２本は両上部横板１７の前部上面に設けられている。
【００２８】
尚、図７に示すように、上記一対の棚装置３間には通路２３が形成されている。また、いずれか一方の棚装置３の一部には、容器２の入出庫のための荷捌き部２４が形成されている。また、上記出し入れ手段４は、通路２３内に配設されかつ通路長さのほぼ全長の長さに形成された昇降自在な昇降体２５と、この昇降体２５側に支持案内されて左右方向Ｇ（通路長さの方向）に往復移動自在な可動体２６と、この可動体２６に設けられた出し入れ装置２７などにより構成されている。
【００２９】
上記昇降体２５は筒枠状であり、その左右方向（長さ方向）の中央部分には箱状枠体３８が設けられている。上記昇降体２５を昇降動させる昇降駆動装置２８は、複数のガイド輪体２９と、これらガイド輪体２９間に掛けられかつ一端が上記箱状枠体３８に上方から連結されるとともに他端がバランスウエイト３０に上方から連結される昇降用ベルト３１、ならびに補助ワイヤー３２と、床側に設けられたドライブプーリ３３と、このドライブプーリ３３を正逆に回転駆動させるモータ３４と、前記ドライブプーリ３３に掛けられかつ一端が上記箱状枠体３８に下方から連結されるとともに他端がバランスウエイト３０に下方から連結されるワイヤー３５と、このワイヤー３５をドライブプーリ３３に巻き付け付勢させる複数のシーブ３６と、上記ワイヤー３５を箱状枠体３８側に案内するためのガイド輪体３７などにより構成されている。
【００３０】
このような構成によると、モータ３４によりドライブプーリ３３を正逆に回転駆動させることで、ワイヤー３５と昇降用ベルト３１とを介して昇降体２５を昇降動させ得る。その際に昇降体２５は、ＬＭガイド（図示せず）等によって棚装置３側に昇降自在に案内される。そして昇降体２５の昇降は、バランスウエイト３０によってバランスを取りながら軽く行える。
【００３１】
図７，図８に示すように、上記可動体２６は、昇降体２５内に設けられたＬＭガイド３９に案内されて、往復駆動装置４０により往復移動する。すなわち、上記往復駆動装置４０は、昇降体２５内でかつ長さ方向の両端部分に設けられた案内プーリ４１と、上記箱状枠体３８内に設けられたドライブプーリ４２と、このドライブプーリ４２を正逆に回転駆動すべく箱状枠体３８内に設けられたモータ４３と、両案内プーリ４１とドライブプーリ４２とに亘って巻回されたタイミングベルト４４と、テンションプーリ４５などにより構成され、上記タイミングベルト４４の一箇所が上記可動体２６に連結されている。このような構成によると、往復駆動装置４０のモータ４３を正逆に駆動してタイミングベルト４４を正逆に回動させることで、可動体２６を往復移動させ得る。
【００３２】
図８〜図１０に示すように、上記可動体２６の上部には、縦軸心４７の周りで回動自在な回転テーブル４８が設けられている。また、可動体２６の内部には、上記回転テーブル４８にタイミングベルト４９などを介して連動されるテーブル駆動装置５０が設けられている。
【００３３】
上記出し入れ装置２７は、縦軸心４７の周りで回動すべく基端をして回転テーブル４８側に配設された中折れ腕形式とされている。すなわち、出し入れ装置２７は、基端をして回転テーブル４８側に固定されたアーム体５１と、このアーム体５１の遊端に、作動軸５２や軸受け５３を介してその基端が相対回動自在に連結されたプレート状のフォーク５４とで構成されている。尚、上記フォーク５４は、棚部材１２に対して出退して容器２を下方からすくい取るものであって、その遊端により容器２の支持を行うように構成されている。
【００３４】
図２に示すように、上記フォーク５４の遊端部の幅Ｗ１は上記棚部材１２の幅Ｗ２よりも広く形成され、フォーク５４の遊端部には左右一対の荷支持部５４ａ，５４ｂが形成され、これら両荷支持部５４ａ，５４ｂ間には、手前側と上下両方とに開放された欠如部５５が形成されている。上記欠如部５５の幅Ｗ３は上記棚部材１２の幅Ｗ２よりも広くかつフォーク５４の遊端部の幅Ｗ１よりも狭く設定されており、上記欠如部５５に対して棚部材１２が突入退出可能となる。
【００３５】
また、上記両荷支持部５４ａ，５４ｂの上面には、容器２の両外側位置決め孔１０に対して挿脱自在な外側位置決めピン５６（位置決め突部の一例）が設けられている。
【００３６】
そして、図８〜図１０に示すように、上記出し入れ装置２７を中折れ動させるために、上記可動体２６内に、腕駆動装置（サーボモータなど）５８が配設されるとともに、この腕駆動装置５８からの出力軸５９が、上記縦軸心４７上に位置されて回転テーブル４８に挿通されている。上記アーム体５１は中空ケース状とされ、その内部に伝動機構６０が介在されている。すなわち伝動機構６０は、上記出力軸５９に固定された第１輪体６１と、上記フォーク５４に一体の上記作動軸５２の下部に固定された第２輪体６２と、第１輪体６１と第２輪体６２とを連動するタイミングベルト６３などにより構成されている。
【００３７】
上記フォーク５４上の両荷支持部５４ａ，５４ｂから外れた基端部には、中空ケース状の架台６４が設けられている。この架台６４には、両荷支持部５４ａ，５４ｂ上に支持された容器２の横動を阻止する横動阻止体６５が左右一対設けられている。
【００３８】
以下、上記構成における作用を説明する。
図８および図９の実線で示すように、テーブル駆動装置５０の作動によって、タイミングベルト４９などを介して回転テーブル４８と一体にアーム体５１を縦軸心４７の周りに回転させて、このアーム体５１の遊端を昇降体２５の上方に位置させるとともに、腕駆動装置５８の作動により、伝動機構６０などを介してフォーク５４を作動軸５２と一体に回転させて、出し入れ装置６０を中折れ動させ、上記フォーク５４をアーム体５１上に重合する退入位置Ａまで退入させることができる。
【００３９】
また、上記テーブル駆動装置５０の逆作動により回転テーブル４８と一体にアーム体５１を縦軸心４７の周りに回転させて、このアーム体５１の遊端を棚装置３側へ移動させるとともに、腕駆動装置５８の逆作動によりフォーク５４を作動軸５２と一体に回転させ、中折れ状態の出し入れ装置６０を伸ばし動させて、図９の仮想線で示すように、上記フォーク５４の荷支持部５４ａ，５４ｂを棚部材１２の上下に突出する突出位置Ｂまで前後方向Ｆへ移動させることができる。
【００４０】
次に、容器２の入出庫について説明する。
▲１▼例えば、容器２を棚部材１２の上側に入庫する場合、上記退入位置Ａ（図９の実線参照）のフォーク５４の両荷支持部５４ａ，５４ｂ上に入庫すべき容器２を支持した状態で、昇降体２５を昇降させ、可動体２６を左右方向Ｇへ移動させて、フォーク５４を目的の棚部材１２の手前側に対向させる。この際、フォーク５４の両外側位置決めピン５６が容器２の両外側位置決め孔１０に挿入されているため、容器２は、フォーク５４に対して位置決めされ、フォーク５４の移動によっても位置ずれしない。
【００４１】
次に、フォーク５４を退入位置Ａから突出位置Ｂ（図９の仮想線参照）まで横移動させることにより、図４の（ａ）に示すように、両荷支持部５４ａ，５４ｂで支持された容器２が目的の棚部材１２の上方へ移動する。その後、図４の（ｂ）に示すように、昇降体２５を僅かに下降させることにより、フォーク５４が下降し、容器２が両荷支持部５４ａ，５４ｂ上から目的の棚部材１２の荷載置部２０に載置される。この際、フォーク５４の下降によって、欠如部５５内に下方から目的の棚部材１２が相対的に突入するため、フォーク５４が目的の棚部材１２に干渉することはない。
【００４２】
さらに、この際、フォーク５４の両外側位置決めピン５６が容器２の両外側位置決め孔１０から脱抜されるとともに、目的の棚部材１２の内側位置決めピン２１が容器２の内側位置決め孔９に挿入されるため、容器２は荷載置部２０に位置決めされ、位置ずれすることはない。上記により容器２が目的の棚部材１２の上側に入庫され、その後、空になったフォーク５４を突出位置Ｂから退入位置Ａまで横移動させる。
【００４３】
▲２▼また、容器２を棚部材１２の下側に入庫する場合、フォーク５４を目的の棚部材１２の手前側の下方に対向させ、フォーク５４を退入位置Ａから突出位置Ｂまで横移動させることにより、両荷支持部５４ａ，５４ｂで支持された容器２が目的の棚部材１２の下方へ移動する。この際、図５の（ａ）に示すように、容器２の鍔部７が前方から棚部材１２の両側板１５間に挿入される。
【００４４】
その後、昇降体２５を僅かに下降させることにより、図５の（ｂ）に示すように、フォーク５４が下降し、上記容器２の係合部８が目的の棚部材１２の両被係合板１６に上方から係合し、容器２が目的の棚部材１２の下側に吊り下げられて保持される。この際、フォーク５４の両外側位置決めピン５６が容器２の両外側位置決め孔１０から脱抜される。上記により容器２が目的の棚部材１２の下側に入庫され、その後、空になったフォーク５４を突出位置Ｂから退入位置Ａまで横移動させる。
【００４５】
上記▲１▼と▲２▼とにより、図６に示すように、２個の容器２が１台の棚部材１２の上側と下側とに振り分けられて保持されるため、従来に比べて棚部材１２の数を半減させることができる。したがって、コストダウンが図れ、また、棚装置３の組立作業に要する時間を短縮することができる。
【００４６】
さらに、上下３段に容器２を保管する場合、上位ａの棚部材１２と下位ｂの棚部材１２との間に従来のような中間位の棚部材（図１２参照）を設ける必要がないため、中間位の棚部材を無くした分だけ、上位ａの棚部材１２と下位ｂの棚部材１２との上下間隔ｄを縮小することができる。したがって、棚装置３の高さを低くすることができる。
【００４７】
▲３▼また、棚部材１２の上側に保管されている目的の容器２を出庫する場合、空のフォーク５４を目的の容器２の手前側に対向させる。そして、フォーク５４を退入位置Ａから突出位置Ｂまで横移動させて、図４の（ｂ）に示すように、欠如部５５内に前方から棚部材１２を相対的に突入させることにより、両荷支持部５４ａ，５４ｂが棚部材１２の両側方かつ目的の容器２の下方に位置するため、フォーク５４が棚部材１２に干渉することはない。
【００４８】
その後、昇降体２５を僅かに上昇させることにより、図４の（ａ）に示すように、フォーク５４が僅かに上昇し、目的の容器２が棚部材１２の荷載置部２０から両荷支持部５４ａ，５４ｂで支持されて持ち上げられる。これにより、棚部材１２の内側位置決めピン２１が容器２の内側位置決め孔９から脱抜されるとともに、フォーク５４の両外側位置決めピン５６が目的の容器２の両外側位置決め孔１０に挿入されるため、上記容器２はフォーク５４に位置決めされ、位置ずれすることはない。その後、上記容器２を支持したフォーク５４を突出位置Ｂから退入位置Ａまで横移動させることにより、目的の容器２が棚部材１２の上側から手前側へ出庫される。
【００４９】
▲４▼また、棚部材１２の下側に保管されている目的の容器２を出庫する場合、空のフォーク５４を目的の容器２に対向させる。そして、フォーク５４を退入位置Ａから突出位置Ｂまで横移動させて、図５の（ｂ）に示すように、目的の容器２の下方に両荷支持部５４ａ，５４ｂを位置させる。
【００５０】
その後、昇降体２５を僅かに上昇させることにより、図５の（ａ）に示すように、フォーク５４が僅かに上昇し、目的の容器２が両荷支持部５４ａ，５４ｂで支持されて僅かに持ち上げられる。これにより、目的の容器２の鍔部７が棚部材１２の被係合板１６から僅かに上昇して浮き上がる。この状態で、上記容器２を支持したフォーク５４を突出位置Ｂから退入位置Ａまで横移動させることにより、目的の容器２の係合部８が棚部材１２の被係合板１６の手前側へ脱抜され、目的の容器２が棚部材１２の下側から手前側へ出庫される。
【００５１】
尚、図２に示すように、フォーク５４の遊端部の幅Ｗ１は棚部材１２の幅Ｗ２よりも広く形成されているため、両荷支持部５４ａ，５４ｂで容器２を支持した際の容器２の安定性が向上する。
【００５２】
上記実施の形態では、出し入れ装置２７において、容器２を下方からすくい取って容器２の底面を支持するフォーク５４を用いているが、フォーク５４の代わりに、容器２の容器本体部５を両側方から挟んで持ち上げる左右一対の移載用アームを用いた形式であってもよい。
【００５３】
上記実施の形態では、図７に示すように、出し入れ手段４を、棚装置３側に案内されて昇降する昇降体２５と、この昇降体２５に設けられて左右方向Ｇへ移動する可動体２６と、可動体２６に設けられたフォーク形式の出し入れ装置２７とで構成しているが、自動倉庫のスタッカクレーンを出し入れ手段４としてもよい。すなわち、出し入れ手段４を、通路２３内の床を走行する走行体と、この走行体に設けられた昇降自在な荷台と、この荷台に設けられた出退自在なフォークとで構成してもよい。
【００５４】
上記実施の形態では、図２，図３に示すように、棚部材１２に３本の内側位置決めピン２１を設け、容器２に３個の内側位置決め孔９を形成しているが、これら内側位置決めピン２１と内側位置決め孔９の数は、３個以外の複数個または単数個であってもよい。また、フォーク５４に２本の外側位置決めピン５６を設け、容器２に２個の外側位置決め孔１０を形成しているが、これら外側位置決めピン５６と外側位置決め孔１０の数は、２個以外の複数個または単数個であってもよい。
【００５５】
上記実施の形態では、荷の一例として、半導体（ウエハ）を収納する容器２を挙げたが、半導体以外のものを収納する容器であってもよい。また、容器２以外の他の物品を荷として取り扱ってもよい。
【００５６】
上記実施の形態では、位置決め突部の一例として位置決めピン２１，５６を用いたが、ピンの代わりに、突起や突片等を形成してもよい。
【００５７】
【発明の効果】
以上のように本第１発明によれば、２個の荷が１台の棚部材の上側と下側とに振り分けられて保持されるため、従来に比べて棚部材の数を減らすことができ、コストダウンが図れる。
【００５８】
また、出し入れ手段の位置決め突部が荷の位置決め孔に挿入されることによって、荷は、出し入れ手段に対して位置決めされ、出し入れ手段の移動によっても位置ずれしない。さらに、棚部材の位置決め突部が荷の位置決め孔に挿入されることによって、荷は、荷載置部に位置決めされ、位置ずれすることはない。
【００５９】
本第３発明によれば、荷をフォークで支持して出し入れする場合、フォークの位置決め突部が荷の位置決め孔に挿入されるため、上記荷がフォークに位置決めされ、フォーク移動時にフォーク上の荷が位置ずれするのを防止することができる。
【００６０】
また、上下３段に荷を保管する場合、上位の棚部材と下位の棚部材との間に従来のような中間位の棚部材を設ける必要がないため、中間位の棚部材を無くした分だけ、上位の棚部材と下位の棚部材との上下間隔を縮小することができる。したがって、複数の棚部材で構成される棚装置の高さを低くすることができる。
【００６１】
本第４発明によれば、出し入れ手段のフォークを用いて、棚部材に対し荷を出し入れする場合、棚部材がフォークの欠如部に突入することにより、フォークが作動中に棚部材に干渉することはない。また、フォークの幅は棚部材の幅よりも広く形成されているため、フォークで荷を支持した際の荷の安定性が向上する。
【図面の簡単な説明】
【図１】本発明の実施の形態における荷保管設備の棚部材の斜視図である。
【図２】同、荷保管設備の棚部材と出し入れ手段のフォークとの平面図である。
【図３】同、荷保管設備で取り扱われる容器の底面図である。
【図４】同、荷保管設備の棚部材の上側に容器を入庫する場合のフォークの動きを示す図であり、（ａ）は容器を棚部材の荷載置部の上方まで移動させた状態を示し、（ｂ）は容器を棚部材の荷載置部に載置した状態を示す。
【図５】同、荷保管設備の棚部材の下側に容器を入庫する場合のフォークの動きを示す図であり、（ａ）は容器の鍔部を棚部材の両側板間に挿入した状態を示し、（ｂ）は容器を棚部材の下側に吊り下げた状態を示す。
【図６】同、複数の棚部材の上側と下側とにそれぞれ容器を保持した状態を示す棚装置の正面図である。
【図７】同、荷保管設備の一部切欠き斜視図である。
【図８】同、荷保管設備の出し入れ手段の出し入れ装置の一部切欠き側面図である。
【図９】同、荷保管設備の出し入れ手段の出し入れ装置の平面図である。
【図１０】同、荷保管設備の出し入れ手段の出し入れ装置の背面図である。
【図１１】従来の荷保管設備の棚部材上に容器を入庫する場合の荷支持部（フォーク）の動きを示す図であり、（ａ）は容器を棚部材の荷載置部の上方まで移動させた状態を示し、（ｂ）は容器を棚部材の荷載置部に載置した状態を示す。
【図１２】従来の複数の棚部材上に容器を保持した状態を示す棚装置の正面図である。
【図１３】従来の荷保管設備の棚部材と荷支持部（フォーク）との平面図である。
【符号の説明】
１    荷保管設備
２    容器（荷）
４    出し入れ手段
８    係合部
９，１０    位置決め孔
１２    棚部材
１６    被係合板（被係合部）
２０    荷載置部
２１，５６    位置決めピン（位置決め突部）
２６    可動体
５４    フォーク
５５    欠如部
【図１】
0003829633.tif 000002
【図２】
0003829633.tif 000003
【図３】
0003829633.tif 000004
【図４】
0003829633.tif 000005
【図５】
0003829633.tif 000006
【図６】
0003829633.tif 000007
【図７】
0003829633.tif 000008
【図８】
0003829633.tif 000009
【図９】
0003829633.tif 000010
【図１０】
0003829633.tif 000011
【図１１】
0003829633.tif 000012
【図１２】
0003829633.tif 000013
【図１３】
0003829633.tif 000014